(57)【要約】【課題】  安全標識、目印、アクセサリーなどとして広く使用可能であって、意匠性を有する着脱自在の点滅発光表示体の提供。【解決手段】  所望形状に連設した自発光体１と、該自発光体１が順に点滅移動するようにした制御回路３と、前記自発光体１を作動させるための電池電源４と、をプリント基板２上に配設して自発光表示部材５と成し、自発光体１を挿通配設するための挿通孔７ａを係合穿設した防水性・防塵性を有する保護材７を用いて前記自発光表示部材５を前記自発光体１が突出した状態で被覆し、更に前記自発光表示部材５を粘着テープを介して着脱可能に貼設する構成としたことを特徴とする。【選択図】        図１
2007065059.tif 000002
【特許請求の範囲】
【請求項１】
所望形状に連設した自発光体と、該自発光体が順に点滅移動するようにした制御回路と、前記自発光体を作動させるための電池電源と、をプリント基板上に配設して自発光表示部材と成し、前記自発光体を挿通配設するための挿通孔を係合穿設した防水性・防塵性を有する保護材を用いて前記自発光表示部材を前記自発光体が突出した状態で被覆し、更に前記自発光表示部材を粘着テープを介して着脱可能に貼設する構成としたことを特徴とする点滅発光表示体。
【発明の詳細な説明】
【技術分野】
【０００１】
本発明は、社会生活上広範囲に利用可能な安全標識、目印、アクセサリー等に用い得る点滅発光表示体に関する。
【背景技術】
【０００２】
従来、交通災害等を防止するために、帽子やヘルメットに夜光塗料、夜光テープ或いはランプなどを取り付けて対応したり、また「ヘルメットの外周縁側部に左右から弾性的に挟着して固定される取り付け本体と、取り付け本体の外周面に適宜間隔で複数個配置されたＬＥＤ発光体と、ＬＥＤ発光体を点滅発光させる電池及び制御部から構成される。」ヘルメット用発光装置が開示されている（例えば、特許文献１参照。）。
【特許文献１】特開平１１−３２９００３号公報
【発明の開示】
【発明が解決しようとする課題】
【０００３】
しかしながら、上述の従来例では、夜間の安全対策として、労働災害防止や交通災害防止のために人体に装着するものの一部に取り付けるものとしてのみ考慮されており、更に広範囲での対応が望まれる。
【０００４】
本発明は、上述の事情に鑑みて成されたもので、安全標識、目印、アクセサリーなどとして広く使用可能であって、意匠性を有する着脱自在の点滅発光表示体を提供することを目的とする。
【課題を解決するための手段】
【０００５】
本発明は、下記構成を備えることにより上記課題を解決できるものである。
【０００６】
（１）所望形状に連設した自発光体と、該自発光体が順に点滅移動するようにした制御回路と、前記自発光体を作動させるための電池電源と、をプリント基板上に配設して自発光表示部材と成し、自発光体を挿通配設するための挿通孔を係合穿設した防水性・防塵性を有する保護材を用いて前記自発光表示部材を前記自発光体が突出した状態で被覆し、更に前記自発光表示部材を粘着テープを介して着脱可能に貼設する構成とした点滅発光表示体。
【発明の効果】
【０００７】
本発明によれば、安全標識、目印、アクセサリーなどとして人体以外の場所にも広く使用可能であって、意匠性を有する着脱自在の点滅発光表示体を提供することが出来る。
【発明を実施するための最良の形態】
【０００８】
以下に本発明の点滅発光表示体の実施の形態について説明する。
【０００９】
図１は、本発明に係る点滅発光表示体の実施例の要部構成を示す説明図、（ａ）は平面図、（ｂ）は側断面図、（ｃ）は他の構成を示す側断面図、（ｄ）は貼付装着状況の一例を示す斜視図、図２は、点滅発光表示体の形状例を示す平面図（その１）、図３は、点滅発光表示体の形状例を示す平面図（その２）、図４は、点滅発光表示体の形状例を示す平面図（その３）、図５は、点滅発光表示体の貼付装着状況の一例を示す斜視図（その１）、図６は、点滅発光表示体の貼付装着状況の一例を示す斜視図（その２）、図７は、点滅発光表示体の貼付装着状況の一例を示す斜視図（その３）である。
【実施例】
【００１０】
図１（ａ）、（ｂ）に示すように、所望形状例えば直線形状に連設した自発光体１と、該自発光体１が順に点滅移動するようにした制御回路３と、前記自発光体１を作動させるための電池電源４と、を例えばポリイミドフィルムなどの柔かくて伸縮しない基材の上に銅箔などの金属箔を貼った基板２上に配設して自発光表示部材５と成し、自発光体１を挿通配設するための挿通孔７ａを係合穿設した防水性・防塵性を有する保護材７を用いて前記自発光表示部材５を前記自発光体１が突出した状態で被覆し、自発光表示部材５を粘着テープ６を介して他物に着脱可能に貼設する構成としてある。
【００１１】
粘着テープ６は例えば両面テープ等が挙げられ、着脱可能に安全標識として工事現場、不安全箇所、生活用品、などの他物に貼設することが出来る。
【００１２】
ＬＥＤ発光体からなる自発光体１は、明るさを制御する不図示の所定の抵抗体Ｒおよび配線Ｌと共にユニット化し、プリント基板を形成する基板２上に前記ユニットを複数並列に配して所定形状・長さの自発光表示部材５を形成し、前記ＬＥＤ発光体からなる自発光体１を順に点滅移動するように制御する制御回路３および電池電源４を介してＯＮ／ＯＦＦし、このＯＮ／ＯＦＦスイッチは手動・自動切換え用の切換え手段を備えた構成となっている。この切換え手段は突設したボタンを上から押すごとに手動・自動切換わるようにコイルバネが押し戻す方向に付勢して設けられている（図示略）。
【００１３】
ＬＥＤ発光体からなる自発光体１は、赤色（Ｒ）、橙色（Ｏ）、黄色（Ｙ）、緑色（Ｇ）、及び青色（Ｂ）の中から用途や目的に応じて適宜選択出来る。
【００１４】
また、制御回路３は、１つのユニット単位または複数のユニット単位で点灯、消灯及び点滅動作を実行すると共に、例えばフォトセンサを用いて自動でＯＮ／ＯＦＦでき、且つ切換えて手動でＯＮ／ＯＦＦできる構成としてある。
【００１５】
また、図１（ｃ）に示すように、プリント基板２、制御回路３、電池電源４を例えば透明樹脂製の透光性を有する保護材７で被覆し、防水性・防塵性を付与した構成とするのが好ましく、この保護材７は、不透明な材質でも良く、防水性・防塵性を有するものであれば良い。
【００１６】
また、ＬＥＤ発光体からなる自発光体１を点灯させると熱を持つので、構造的に放熱させる必要があり、ＬＥＤ発光体本体のシール性を損なうことなく保護材７に挿通孔７ａを配置に併せて係合穿設し、自発光体１を保護材７の表面に突設した構成としてある。
【００１７】
自発光表示部材５は、保護材７を用いて被覆する場合、表面・裏面含めて全てを覆っても良く、また図１（ｃ）に示すように、表面と側面を覆って裏面は省略しても良く、設置対象物と接する面側に両面テープからなる粘着テープ６を用いて着脱可能に貼着する構成としてある。
【００１８】
自発光体１をユニット単位で複数配列したことで、一部配線の断線などが生じても点滅発光表示体の発光機能を失うことは無い。
【００１９】
また、電源としては、例えば酸化銀電池やリチウム電池などのボタン型電池が好適であるが、アルカリ乾電池やマンガン乾電池を用いる場合は、乾電池用ホルダーを別途用意してリード線で接続する構成としても良い。
【００２０】
尚、プリント基板は、例えば柔かく伸縮しない耐熱性高分子からなるポリイミド樹脂製基材の片面に回路がプリントされた片面基板が好適であるが、両面基板でも、また多層基板でも良く、基板の種類を限定するものではない。
【００２１】
図１（ｄ）は、主として安全標識として用いた場合の一例であり、階段の段差がある場合の所謂「蹴込部」に貼付した場合の例を示す。
【００２２】
更に、建設工事現場や、死角になり易い個所、などに貼付することができる。
【００２３】
フォトセンサを用い、周囲の明るさに反応して自動的にＯＮ／ＯＦＦし、例えば赤色のＬＥＤ発光体からなる自発光体１を点滅させることで、安全標識、或いは目印として、目立ち易く効果は抜群である。点灯させるか、消灯するかの選択は、手動・自動切換えと共に、いずれかを状況に応じて決めることが出来る。また、点滅速度を調節出来ることは勿論である。
【００２４】
図２は、梟など鳥類の形状の絵模様の輪郭に沿って自発光体１を配した基板２の形状例を示す平面図である。梟の目の位置に目に係合するやや大き目のＬＥＤ発光体からなる自発光体１と、例えば嘴の位置にやや小さめのＬＥＤ発光体からなる自発光体１を配する構成とすることも出来る。
【００２５】
図３は、子供が喜ぶ飛行機の形状例であり、飛行機形状の輪郭に沿ってＬＥＤ発光体からなる自発光体１を適宜個数配設した基板２の形状例を示す平面図である。その他は、図２の例の場合と同様であるので説明を省略する。
【００２６】
図４は、桜の花の形状例であり、花びらの輪郭及び雌蕊（めしべ）の先端位置にＬＥＤ発光体からなる自発光体１を適宜個数配設した基板２の形状例を示す平面図である。
【００２７】
図５は、犬、猫などのペット用の首輪にＬＥＤ発光体からなる自発光体１を配設した基板２から形成される点滅発光表示体を貼付装着した一例の斜視図である。
【００２８】
図６は、女性が使用するバッグに桜の花の絵模様を付した点滅発光表示体を貼付装着した一例の斜視図である。
【００２９】
図７は、学童が背負うランドセルに飛行機の絵模様を付した点滅発光表示体を貼付装着した一例の斜視図である。
【００３０】
尚、符号５０は、図１（ｃ）以降に示すように、保護材７を被覆済みの点滅発光表示体である。
【００３１】
上述に示した事例のように、安全標識、目印、アクセサリーとして広く利用することが出来、赤色（Ｒ）、橙色（Ｏ）、黄色（Ｙ）、緑色（Ｇ）、及び青色（Ｂ）等の中から自由に色を選んで配設することで目立ち易く、特定の所望形状に列設した自発光体を順に点滅移動させることで、更に際立って目立つので、それだけ効果は抜群である。
【００３２】
また、ＬＥＤからなる自発光体は、正弦曲線、波形曲線、植物、鉱物、などを含めて地球上の事物全ての形状に基づく造形を利用でき、社会生活上広範囲に応用可能である。
【００３３】
尚、ＬＥＤ（発光ダイオード）は、フィラメントを用いる豆球と違って、低電圧、小電流で動作し、振動に強く、寿命が非常に長く、且つＯＮ／ＯＦＦの時の時間遅れが殆ど無く、従って高速度の変調やパルス点灯に最適である。
【００３４】
また、ＬＥＤと電流制限用の抵抗と電源とを直列につないで点灯・発光が自在であり、点滅間隔を短くして点滅速度を速めたり、点滅間隔を長くして点滅速度を遅くしたり等の切換え調節可能に構成できるという特徴がある。
【図面の簡単な説明】
【００３５】
【図１】本発明に係る点滅発光表示体の実施例の要部構成を示す説明図、（ａ）平面図、（ｂ）側断面図、（ｃ）他の構成を示す側断面図、（ｄ）は貼付装着状況の一例を示す斜視図
【図２】点滅発光表示体の形状例を示す平面図（その１）
【図３】点滅発光表示体の形状例を示す平面図（その２）
【図４】点滅発光表示体の形状例を示す平面図（その３）
【図５】点滅発光表示体の貼付装着状況の一例を示す斜視図（その１）
【図６】点滅発光表示体の貼付装着状況の一例を示す斜視図（その２）
【図７】点滅発光表示体の貼付装着状況の一例を示す斜視図（その３）
【符号の説明】
【００３６】
１  自発光体
２  基板
３  制御回路
４  電池電源
５  自発光表示部材
６  粘着テープ
７  保護材
５０  点滅発光表示体
【図１】
2007065059.tif 000003
【図２】
2007065059.tif 000004
【図３】
2007065059.tif 000005
【図４】
2007065059.tif 000006
【図５】
2007065059.tif 000007
【図６】
2007065059.tif 000008
【図７】
2007065059.tif 000009